(57)【要約】【課題】タイ全体の高級感、装飾性を高めることのできるループタイを提供する。【解決手段】金属製の鎖体１と、鎖体１の中央部にループＬを形成するように装着する留め具２とからなり、留め具２は、金属製の装飾体４と、鎖体１を上下方向に挿通するように装飾体４の裏側に設けられた金属製の鎖体挿通筒５と、鎖体挿通筒５の下方でこの挿通筒５から出た直後の鎖体１を固定するように装飾体４の裏側に設けられた金属製のクリップ６とからなる。【選択図】図３
0003121679.tif 000002
【実用新案登録請求の範囲】
【請求項１】
金属製の鎖体と、鎖体の中央部にループを形成するように装着する留め具とからなり、留め具は、金属製の装飾体と、鎖体を上下方向に挿通するように装飾体の裏側に設けられた金属製の鎖体挿通筒と、鎖体挿通筒の下方でこの挿通筒から出た直後の鎖体を固定するように装飾体の裏側に設けられた金属製のクリップとからなるループタイ。
【請求項２】
クリップは、挟持部が開閉するようにバネを介して互いに枢着された一対の挟持片からなるもので、一方の挟持片が装飾体側に固定され、挟持部が閉じた状態で鎖体が挟持固定されるようになっている請求項１に記載のループタイ。
【請求項３】
鎖体挿通筒は互いに独立した左右一対の円筒管からなる請求項１又は２に記載のループタイ。
【考案の詳細な説明】
【技術分野】
【０００１】
本考案は、男性がワイシャツ等を着用した時にネクタイの代替品として使用するループタイに関するものである。
【背景技術】
【０００２】
従来のループタイとして、特許公報等の公知文献を具体的に挙げることはできないが、従来のループタイは、タイの素材として、糸で編んだ紐体を使用し、この紐体の中央部にループを形成するように留め具を装着するようにしたもので、止め具は木、金属あるいは合成樹脂で形成されている。
【考案の開示】
【考案が解決しようとする課題】
【０００３】
従来のループタイでは、素材として、糸で編んだ紐体が使用されていることから、どうしても高級感に乏しく、留め具に高価なものを使用していても、ループタイ全体としての高級感、装飾性がいま一つという印象があった。そこで、本考案は、タイ全体の高級感、装飾性を高めることのできるループタイを提供することを目的とする。
【課題を解決するための手段】
【０００４】
上記課題を解決するための手段を、後述する実施形態の参照符号を付して説明すると、請求項１に係る考案は、金属製の鎖体１と、鎖体１の中央部にループＬを形成するように装着する留め具２とからなり、留め具２は、金属製の装飾体４と、鎖体１を上下方向に挿通するように装飾体４の裏側に設けられた金属製の鎖体挿通筒５と、鎖体挿通筒５の下方でこの挿通筒５から出た直後の鎖体１を固定するように装飾体４の裏側に設けられた金属製のクリップ６とからなることを特徴とする。尚、ここで、金属とは、貴金属を含む金属である。
【０００５】
請求項２は、請求項１に記載のループタイにおいて、クリップ６は、挟持部７ａ，８ａが開閉するようにバネ９を介して互いに枢着された一対の挟持片７，８からなるもので、一方の挟持片７が装飾体４側に固定され、挟持部７ａ，８ａが閉じた状態で鎖体１が挟持固定されるようになっていることを特徴とする。
【０００６】
請求項３は、請求項１又は２に記載のループタイにおいて、鎖体挿通筒５は互いに独立した左右一対の円筒管５ａ，５ａからなることを特徴とする。
【考案の効果】
【０００７】
上記解決手段による発明の効果を、後述する実施形態の参照符号を付して説明すると、請求項１に係る考案のループタイは、鎖体１と、この鎖体１の中央部にループＬを形成するように装着される留め具２とからなるもので、鎖体１が金属製であるため、金属独特の重み、重厚感があって、高級感をかもし出すことができる。この場合、鎖体１を金、銀、プラチナ、ホワイトゴールド等の貴金属で形成することによって、一層高級感を得ることができる。
【０００８】
また、留め具２が、金属製の装飾体４と、鎖体１を上下方向に挿通するように装飾体４の裏側に設けられた金属製の鎖体挿通筒５と、鎖体挿通筒５の下方でこの挿通筒５から出た直後の鎖体１を固定するように装飾体４の裏側に設けられた金属製のクリップ６とからなるため、鎖体１による重厚感、高級感に加え、鎖体１の表側にある装飾体４とによって装飾性が確保される。この場合も、装飾体４を金、銀、プラチナ、ホワイトゴールド等の貴金属で形成することによって、鎖体１と共に、装飾体４にも高級感を与えることができる。
【０００９】
また、この考案のループタイでは、装飾体４、鎖体挿通筒５及びクリップ６がいずれも金属製であることから、留め具２が可なり重くなるけれども、鎖体挿通筒５から出た直後の鎖体１がクリップ６によって固定されるようになっているため、留め具２がずれ下がるようなことがなく、鎖体１を常に所望の位置に保持させておくことができる。
【００１０】
請求項２に係る考案によれば、クリップ６は、挟持部７ａ，８ａが開閉するようにバネ９を介して互いに枢着された一対の挟持片７，８からなるもので、一方の挟持片７が装飾体４側に固定され、挟持部７ａ，８ａが閉じた状態で鎖体１が挟持固定されるようになっているものであるから、クリップ６の開閉操作が簡単且つ容易であると共に、鎖体１を的確に固定することができる。
【００１１】
請求項３に係る考案によれば、鎖体挿通筒５が互いに独立した左右一対の円筒管５ａ，５ａからなるため、鎖体１をスムーズにスライドさせることができ、ループＬの拡縮操作が容易となる。
【考案を実施するための最良の形態】
【００１２】
以下に本考案の好適な実施形態を図面に基づいて説明すると、図１は本考案に係るループタイの全体正面図、図２は図１の矢印Ａで示す部分の拡大正面図、図３の(a) は図１の矢印Ａで示す部分の拡大背面図、(b) は(a) に示す部分の側面図である。図４の(a) は図３のＸ−Ｘ線断面図、(b) は図３のＹ−Ｙ線断面図である。これらの図において、１は金属製の鎖体であり、２は鎖体１の中央部にループＬを形成するように装着される留め具２である。
【００１３】
鎖体１は、金、銀、プラチナ、ホワイトゴールドその他の所望の貴金属又は金属（普通の金属）によって形成された鎖からなるもので、この鎖体１の両端部には、鎖体１と同様に所望の金属で形成された有底円筒状の装飾用筒体３，３が嵌着されている。
【００１４】
留め具２は、表側に位置する金属製の装飾体４と、鎖体１を上下方向に挿通するように装飾体４の裏側に設けられた金属製の鎖体挿通筒５と、この鎖体挿通筒５の下方でこの鎖体挿通筒５から出た直後の鎖体１を装飾体４に固定するように装飾体４の裏側に設けられた金属製のクリップ６と、から構成される。
【００１５】
上記留め具２の表側にある装飾体４は、楕円形の板状本体４ａと、この板状本体４ａの裏側にその周縁部に所要間隔おきに点在させた連結部片４ｄを介して取り付けられた周骨部材４ｂと、この周骨部材４ｂの上半部に掛け渡された中骨部材４ｃとからなるもので、板状本体４ａの表面側には図２及び図３の(b) に示すような所望の装飾模様４ｅが施されれている。これら板状本体４ａ、周骨部材４ｂ、中骨部材４ｃ及び連結部片４ｄも、所望の金属（貴金属を含む）によって形成される。
【００１６】
上記装飾体４の裏側に設けられた金属製の鎖体挿通筒５は、互いに独立した左右一対の円筒管５ａ，５ａからなるもので、図３の(a) ，(b) から分かるように、装飾体４の中骨部材４ｃに溶接により固着されている。各円筒管５ａは、鎖体１が軽く挿通し得るように鎖体１の外径より若干大きい内径を有する。各円筒管５ａも所望の金属（貴金属を含む）によって形成される。
【００１７】
この鎖体挿通筒５の下方に設けられたクリップ６は、図４の(a) ，(b) に示すように、挟持部７ａ，８ａが開閉するようにバネ９を介して枢軸１０により互いに枢着された一対の挟持片７，８からなるもので、一方の挟持片７が装飾体４の板状本体４ａ裏面側に固定され、挟持部７ａ，８ａが閉じた状態で鎖体１が挟持固定されるようになっている。挟持片７，８の挟持部７ａ，８ａは、図４の(b) から分かるように、対向部が鋸歯状に形成されている。このクリップ６は、ステンレス等の普通の金属によって形成される。
【００１８】
図４の(b) には、挟持片７，８の挟持部７ａ，８ａが閉じた状態を実線で示し、開いた状態を仮想線で示している。挟持部７ａ，８ａが閉じた状態において、その挟持部７ａ，８ａにより鎖体１が挟持固定され、この状態から、図４の(b) に矢印で示すように、片方の挟持片８の基端部８ｏを手の指先で押さえると、その挟持部８ａが同図の仮想線図示のように反対側の挟持片７の挟持部７ａから引き離して、鎖体１を解放する。
【００１９】
次に上記のように構成されるループタイの使用について説明する。先ず、留め具２の一部を構成する装飾体４の裏側にあるクリップ６の挟持片８の基端部８ｏを指先で押さえ付けて、その挟持片８の挟持部８ａを図４の(b) の仮想線図示のように反対側の挟持片７の挟持部７ａから引き離して開放した状態で、鎖体１の両端部の装飾用筒体３，３を鎖体挿通筒５の左右一対の円筒管５ａ，５ａに上方より挿通し、さらにその装飾用筒体３，３を両挟持片７，８の開放した挟持部７ａ，８ａ間に通して下方へ引っ張りながら、この鎖体１の中央部側に予めループタイ着用者の頭よりも大きなループＬを形成した後、押さえている指を解放すると、挟持部７ａ，８ａが閉じて、鎖体挿通筒５の円筒管５ａ，５ａを出た直後の鎖体１を固定する。
【００２０】
上記のように予め大きなループＬを形成した状態のループタイのループＬを、ワイシャツを着たループタイ着用者の頭から首部に通して、シャツ襟裏側に周回させた状態とし、この状態で前記クリップ６を再び開放操作して、鎖体１を留め具２に対し適宜にスライドさせながらループＬを縮め、留め具２の位置を決めた後、クリップ開放のために押さえている指を解放すれば、上記のように挟持片７，８の挟持部７ａ，８ａが閉じて、鎖体挿通筒５を出た直後の鎖体１が固定され、留め具２は所要の位置に確実に保持される。
【００２１】
以上説明したように、本考案のループタイは、鎖体１と、この鎖体１の中央部にループＬを形成するように装着される留め具２とからなるもので、鎖体１が金属製であるため、金属独特の重厚感があって、高級感をかもし出すことができる。この場合、鎖体１を金、銀、プラチナ、ホワイトゴールド等の貴金属で形成することによって、より一層高級感が確保される。
【００２２】
またこのループタイでは、留め具２が、金属製の装飾体４と、鎖体１を上下方向に挿通するように装飾体４の裏側に設けられた金属製の鎖体挿通筒５と、鎖体挿通筒５の下方でこの挿通筒５から出た直後の鎖体１を固定するように装飾体４の裏側に設けられた金属製のクリップ６とからなるため、鎖体１による重厚感、高級感に加え、鎖体１の表側に位置する装飾体４とによって装飾性が確保される。この場合も、装飾体４を金、銀、プラチナ、ホワイトゴールド等の貴金属で形成することによって、鎖体１と共に、装飾体４にも高級感を与えることができる。
【００２３】
しかして、装飾体４、鎖体挿通筒５及びクリップ６がいずれも金属製であることから、留め具２が可なり重くなるけれども、鎖体挿通筒５から出た直後の鎖体１がクリップ６によって固定されるようになっているため、留め具２がずれ下がるようなことがなく、この鎖体１を常に所望の位置に保持させておくことができる。
【００２４】
また、クリップ６は、挟持部７ａ，８ａが開閉するようにバネ９を介して互いに枢着された一対の挟持片７，８からなるもので、一方の挟持片７が装飾体４側に固定され、挟持部７ａ，８ａが閉じた状態で鎖体１が挟持固定されるようになっているものであるから、クリップ６の開閉操作が簡単且つ容易であると共に、鎖体１を的確に固定することができる。
【００２５】
この実施形態においては、鎖体挿通筒５を、互いに独立した左右一対の円筒管５ａ，５ａからなるものとしているが、この鎖体挿通筒５は、図５に示すように一つの横長楕円形状の筒体１５ａとしてもよい。但し、図４の(a) に示すように、互いに独立した左右一対の円筒管５ａ，５ａとすることにより、鎖体１を鎖体挿通筒５に対しスムーズにスライドさせることができ、ループＬの拡縮操作が容易となる。
【図面の簡単な説明】
【００２６】
【図１】本考案に係るループタイの全体正面図である。
【図２】図１の矢印Ａで示す部分の拡大正面図である。
【図３】(a) は図１の矢印Ａで示す部分の拡大背面図、(b) は(a) に示す部分の側面図である。
【図４】(a) は図３のＸ−Ｘ線断面図、(b) は図３のＹ−Ｙ線断面図である。
【図５】鎖体挿通筒の他の例を示す断面図である。
【符号の説明】
【００２７】
１            鎖体
２            留め具
４            装飾体
５            鎖体挿通筒
６            クリップ
７，８        挟持片
７ａ，８ａ    挟持部
９            バネ
【図１】
0003121679.tif 000003
【図２】
0003121679.tif 000004
【図３】
0003121679.tif 000005
【図４】
0003121679.tif 000006
【図５】
0003121679.tif 000007